(57)【特許請求の範囲】
【請求項１】
液透過性の表面層、液保持性の吸収層、及び防漏層を備えた吸収性本体と、該吸収性本体の肌当接面側において両側縁部の略全長に亘って設けた左右一対の液不透過性又は液難透過性のサイドシートとを有する吸収性物品であって、
前記サイドシートにのみ形成し、前記吸収性本体の前記表面層、吸収層及び防漏層とは連結していない第１エンボスと、
前記第１エンボスよりもサイドシートの内側縁に配され、前記サイドシートから、前記吸収性本体の少なくとも前記表面層及び前記吸収層に亘ってこれらを圧密化して一体化し、かつ、該サイドシートの長手方向に連続的もしくは間欠的に列をなして形成した、前記第１エンボスよりも深さのある第２エンボスとを配設し、
前記第１エンボス及び第２エンボスが、平面視して、前記サイドシートと前記吸収層との重なる位置に配されている吸収性物品。
【請求項２】
前記第２エンボスが連続的で、かつＳ字状である請求項１記載の吸収性物品。
【請求項３】
前記第１エンボスと前記第２エンボスとを白度が異なるようにした請求項１又は２記載の吸収性物品。
【請求項４】
前記第２エンボスが、前記サイドシートの内側縁の近傍に該内側縁に沿って設けられた請求項１〜３のいずれか１項に記載の吸収性物品。
【発明の詳細な説明】
【技術分野】
【０００１】
本発明はサイドシートを備えた吸収性物品に関する。
【背景技術】
【０００２】
吸収性物品の機能は近年向上している。例えば、生理用ナプキン、パンティライナー、おりものシート、失禁パッド等の吸収性物品において技術開発が進められ、高い機能を発揮するものがある。具体的にその技術は、新素材の開発、物品形状の改良、加工装置の開発などに支えられ、物品の装着性や液体吸収性・液体保持性などの性能が益々向上してきた。そして、吸収性物品を工業的に生産する技術も進歩し、上記のように高機能でありながら、大量生産により使い捨て可能な安価なものも開発されてきた。
【０００３】
このような機能面での改良が進む一方、物品の外観については、機能がもたらすもののみで、デザインが十分考慮されているとはいえない。しかし肌に直接あてて使用することが多い当該物品においては柔らかくあたたかい印象が好まれる。冷たく硬い印象を与えることが望ましくないことはいうまでもない。例えば、フラップ部に「格子状」の凹部を設けたものや（特許文献１参照）、フラップ基部において表面シートとサイド不織布とを「直線的」に固着したものがある（特許文献２参照）。いずれも幾何学的なパターンである。「リーフ状」のエンボスを形成したものがあるが（特許文献３参照）、表面シートに加工をしたため、表面材料層の皺入り等による液漏れ性への影響が無視できない。
【０００４】
これらのこと考慮し、吸収性物品にサイドシートを設け、そこにデザイン性の高いエンボスパターンを付したものが開発されている（特許文献４参照）。
【０００５】
【特許文献１】特開２００３−２８４７４１号公報
【特許文献２】特開２００２−２７２７８６号公報
【特許文献３】特開２００４−０００４４６号公報
【特許文献４】特開２００５−３１２６９４号公報
【発明の開示】
【発明が解決しようとする課題】
【０００６】
吸収性物品においては機能のみならず、それがデザイン上の美観を高めることができれば、上記の従来の吸収性物品の問題を解決できる。
本発明は、サイドシートを備えた吸収性物品の液吸収性・液保持性において高い性能を維持し、横漏れ防止性、装着性、よれ防止性を高め、その機能を奏する構造が装飾的な美観を与えうる吸収性物品の提供を目的とする。
【課題を解決するための手段】
【０００７】
本発明は、液透過性の表面層、液保持性の吸収層、及び防漏層を備えた吸収性本体と、該吸収性本体の肌当接面側において両側縁部の略全長に亘って設けた左右一対のサイドシートとを有する吸収性物品であって、前記サイドシートにのみ形成した第１エンボスと、前記サイドシートと、前記吸収性本体の前記表面層、吸収層、及び防漏層のいずれかの層とを連結するように、かつ、該サイドシートの長手方向に連続的もしくは間欠的に列状に形成した第２エンボスとを配設した吸収性物品により、上記の目的を達成したものである。
【発明の効果】
【０００８】
本発明の吸収性物品は、装着性や液吸収性・液保持性といった機能上の基本特性において高い性能を維持しつつ、横漏れ防止性、よれ防止性をも向上させ、しかもその構造が装飾的な美観を示し、使用者に好印象を与えうるという優れた効果を奏する。
【発明を実施するための最良の形態】
【０００９】
以下、本発明の吸収性物品を、その好ましい実施形態である生理用ナプキンについて図面を参照しながら説明する。
図１は、本発明の吸収性物品の好ましい形態としての生理用ナプキン（本実施形態１）を一部破断して模式的に示す平面図である。本実施形態１の生理用ナプキン１０は、図１に示すように、液透過性の表面層１、液保持性の吸収層２、及び防漏層３を備えた吸収性本体４と、該吸収性本体４の肌当接面側の両側縁部それぞれに沿って略全長に亘って設けられた左右一対のサイドシート５を有する。サイド部は本体と一体に形成されている。前記サイドシート５には、サイドシート５にのみ形成された第１エンボス６が設けられている。さらに、サイドシート５と、吸収性本体４の表面層１、吸収層２、及び防漏層３のいずれかの層とを連結して、機能上一体化して吸収性物品の機能を向上させる第２エンボス７が設けられている。そして、この第２エンボス７はサイドシート５の長手方向に列状に設けられている。
【００１０】
ここで図示した生理用ナプキン１０において、表面層（表面シート）１は、吸収層（吸収体）２の上面の全域を被覆しており、吸収層２の側縁から若干延出している。ただし、図２−１に示したように、表面層１は防漏層（裏面シート）３とは接触していないことが好ましい。そして防漏層３は吸収層２の下面の全域を被覆し、吸収層２の側縁から外方に延出している。そして、表面層１、吸収層２、防漏層３から実質的に縦長の吸収性本体４が形成されている。
【００１１】
そして、吸収性本体４の肌当接面側の両側縁部それぞれには、左右一対のサイドシート５，５が、該両側縁部に沿って略全長に亘って設けられている。ここで、図示した形態のように、吸収性本体４の排泄物の集中する中央部の両側縁部に、防漏層３とサイドシート５から形成されている、一対のウイング１１を設けることが好ましい。
【００１２】
また図示したものにおいては、防漏層３とサイドシート５を、吸収性本体４の両側縁及びウイング１１の周縁においてサイドシール部１２を形成して接合している。また、表面シート１と防漏層３とは、それぞれ吸収層２の前後端から延出し、その延出部分において接合するようエンドシール部１３を形成している。防漏層３とサイドシート５とは接着剤（図示せず）によって接合することが好ましい。
【００１３】
図２−１は、図１に示したＩＩ−ＩＩ線断面を示す拡大断面図である。同図により生理用ナプキン１０の形態についてさらに詳しく説明する。サイドシート５は、幅方向において吸収層２の上方位置（重なる位置）にまで配されている。その重なる位置でサイドシート５は、図示したもののように、シート端を折り返して、表面層１に当接させることが好ましい。ここで、サイドシート５における折り返された部分５ｘと５ｙとの間を接着剤により接合することが好ましい。そして、本実施形態１の生理用ナプキン１０は、吸収性本体４の非肌当設面にホットメルト粘着剤（図示せず）を設け、その粘着面を下着に固定して装着することが好ましい。
【００１４】
本実施形態１の生理用ナプキン１０においては、サイドシート５における折り返された部分５ｘと５ｙとを接合するよう、第１エンボス６が形成されている。ここで図１を参照して説明すると、第１エンボスは独立したものを部分的に偏在させて設けてもよいが、図示したもののように、サイドシートの長手方向に亘って延びる列６ｙをなすように設けることが好ましい。すなわち、第１エンボスを間欠的に複数設けるときには、個々のエンボスが離れすぎず、吸収性本体４の中央領域（サイドシートの内側縁５ａの一対に挟まれた領域）に排泄された液体の横漏れ防止作用が発現する程度に近接して設けることが好ましい。このとき、横漏れ防止作用を一層高める点では、第１エンボスを連続させた形状に設けることが好ましい。
【００１５】
本実施形態１の生理用ナプキン１０のサイドシート５には、さらに第２エンボス７が設けられている。本実施形態１において第２エンボス７は、図２−１に示したように、サイドシート５、表面層１、及び吸収層２の厚さにわたるような深さで設けられている。そして、この深さのある第２エンボス７がサイドシート５の長手方向に亘って列７ｙをなして延びている（図１参照）。より詳しくは、各第２エンボスは平面図では略Ｓ字状の形態を有する。そして個々のエンボスが連続せず独立して設けられているが、それぞれが離れすぎず、列状をなして実質的に液体の横漏れ防止作用を発揮しうる程度の離間状態が維持されている。
【００１６】
本実施形態１の生理用ナプキンにおいては、第１エンボス及び第２エンボスのいずれも、サイドシート５の長手方向に亘って延びた列をなし、両者が互いに並列して設けられている。このように第１エンボスの列６ｙと第２エンボスの列７ｙとを並列状態で組み合わせて配設することにより、両エンボス列の相互作用により、液体の流動を一層効果的に遮断し、高い横漏れ防止機能を発揮しうる。例えば、本実施形態１においては、吸収層２が第２エンボスによって部分的に圧密化されているため吸収層２の内部を伝わってくる液体の伝搬速度を一時的に低下させる効果を奏するため、結果的にその部位で液を遮断することができる。そして、表面層を物品の幅方向（Ｘ方向）の外側に向け伝わってくる液体に対しては、第２エンボス７がまず遮断し、そこを超えてサイドシート中を拡散しながら滲出する微量の液体をさらに第１エンボス６が確実に遮断しうる。
【００１７】
本実施形態１においては、深さのある第２エンボス７をサイドシートの内側縁５ａの近傍に、内側縁５ａに沿って設けたため、図２−１に示したように、内側縁５ａが適度に立ち上がり、吸収性本体の中央領域に向けて開放した空間２１を保持した防漏壁構造となっている。これにより、上述した横漏れ防止作用に加えて、一層効果的に物品表面を伝わってくる液体を遮断しうる。具体的には例えば、体形の幾分異なる人が装着したときや、運動により物品が多少ずれたようなときにも、上記内側縁５ａの起立状態が適度に変化してフィットし、信頼性の高い液漏れ防止性を実現しうる。
【００１８】
ここで、本実施形態１の生理用ナプキン１０においては、第１エンボス及び第２エンボスを、サイドシート５の吸収層２が下方に存在する領域２２に形成することが好ましい（図２−１参照）。このようにすることで、装着の際の生理用ナプキンの良好な長手方向の湾曲性及び横漏れ防止性が維持される。そして、第１エンボスを第２エンボスの外側に配設することが好ましい。
【００１９】
次に、第１エンボス及び第２エンボスの平面図における形状（図１参照）についてさらに詳しく説明する。本実施形態１の生理用ナプキンにおいては、図示したもののように、第１エンボス６には、曲線状のエンボス６ａと中抜きエンボス６ｂとがある。そして、両者を組み合わせて、平面図では連続せずに長手方向に実質的に連続するよう配置している。ここで「平面図では連続せずに長手方向に実質的に連続する（以下、特に断らない限り、この連続状態を単に「実質的に連続する」ともいう。）」とは、平面図では個々のエンボスが連続していないが、長手方向に直交する方向（Ｘ方向）にエンボスを投影したときに、その投影像が長手方向（Ｙ方向）に間断なく連続していることを意味する。このようなエンボス列の形態とすることで、良好な横方向の防漏性を発揮しうる。そして、エンボス列の実質的に連続する状態を、吸収性本体の長手方向の全長の５０％以上に亘って設けることが好ましく、略全長に亘って設けることがより好ましい。
【００２０】
エンボス６ａ及び７についていうと、サイドシート５の長手方向に沿う直線を２箇所以上横切る形状、すなわち略Ｓ字形状を有している。このように緩やかな曲線状のエンボスを、不連続に離れた状態で形成することにより、曲げに対する応力が適度に分散され、エンボス自体が皺になりにくい。そのためサイドシートの長手方向に曲げ応力が生じにくく、柔らかな曲げ状態でソフトに肌に当接する形態とすることができる。さらに、このような略波線形状のエンボス列は、エンボスが付された以外の部分に皺を分散し、エンボスが付された部分には硬い皺ができにくいため、皺が生じたとしても柔らかく肌触りが良い。また、サイドシート５にエンボスパターンが形成されているため、表面層１においても皺が入りにくくさらに良好な肌触りを実現しうる。
そして各エンボス６ａもしくは７は、その両端部それぞれに向かって徐々に細くなっている。このような形状にすることで、エンボス両端部の細い部分で折れ曲がり、エンボス幅の広い部分が隆起しにくく、柔軟性を高くしうる。
【００２１】
本実施形態１における、中抜きした形状を有する中抜きエンボス６ｂは、平面図で内側に非エンボス部を有しており、その周囲をエンボスした平面領域を形成したエンボスである。そして中抜きエンボス６ａは、複数集まって花びら形状のエンボスパターンを形成している。このような中抜きエンボスが設けられた領域においては、エンボス部分は隆起せず、中抜きされた領域が柔らかく盛り上がるため、柔軟性をさほど低下させることなく、エンボスによる液体の伝搬防止効果を得られる。
【００２２】
そして、上記の中抜きエンボス６ｂがなす花柄パターンは、先に説明した略Ｓ字状エンボス６ａもしくは７が実質的に連続してなす蔓状のエンボスパターンと相俟って、装飾的な美観を与えている。しかも、このように所定のエンボスを所定のパターンに配列させることにより、それぞれの形状による相互作用、すなわち吸収性物品の長手方向において柔らかな曲げ状態を実現し、それによりサイドシートの肌触りを良好なものとし、サイドシートによる吸収層の側縁部の防漏性を併せて高めることができる。
【００２３】
エンボスの平面図の形状は図示したもののほか、略Ｓ字状のエンボスを複数重ね合わせた、例えば端部を３〜５個有するエンボスや、中央部が徐々に細くなるよう形成されたエンボスにしてもよい。そのようにして、柔軟性を維持し皺の発生を抑制したり、デザイン的特徴を変化させたり、肌触りや防漏性を良化させたりしてもよい。
なお、エンボス及びその列には直線状の部分があってもよい。またサイドシート５の内側縁５ａに弾性体を配置してそこにギャザーを形成することもできる。
【００２４】
表面層１の構成材料は特に限定されないが、親水性不織布を用いることが好ましい。防漏層３の構成材料は特に限定されないが、防漏性のフィルムシートを用いることが好ましい。吸収層２としては通常の吸収性材料を用いることができる。サイドシートとしては、不織布、フィルムシート、紙等が挙げられる。防漏性の観点からは、サイドシートを液不透過性又は難透過性である疎水性不織布、防漏性のフィルムシート等により形成することが好ましい。上記吸収性本体の各層及びサイドシートは一枚でもよいし、さらに機能性のシート等と組み合わせて２枚以上のものとしてもよい。複数のシートにより各層もしくはサイドシートを構成するとき、第２エンボスは、その複数のシートすべてを接合するよう設けてもよく、一部のシートにのみ設けてもよい。例えば、第２エンボスはサイドシートと吸収性本体のいずれかの層とに設けられるが、サイドシートを構成する複数のシートの一部と、各層を構成する複数のシートの一部とを一体化する形態で設けたものも本発明に含まれる。また、サイドシートが複数のシートで構成されている場合、第１エンボスは、サイドシートを構成するシートのうちの１枚のみにエンボスを設けても良く、複数シートを接合するように設けても良い。
【００２５】
第１エンボス及び第２エンボスの形成方法は特に限定されず、所望の形状に形成することができれば、部材を高密度化する押込み圧着であっても、部材を接合させる熱融着（ヒートシール）であってもよい。具体的な形成方法についていえば、例えばサイドシート５をなす長尺部材を準備し、そこにあらかじめ第１エンボスを形成しておく。その長尺部材を吸収性本体４の両側縁部にそれぞれサイドシール１２を形成して接合し、前後端部を所定形状に整形し、エンドシール部１３を形成することにより、吸収性本体４の両側縁部に第１エンボスが施されたサイドシート５が設けられる。その後、例えば、サイドシート５の上から所定の深さに熱圧着して表面層１及び吸収層２とともに一体化して、第２エンボスを設けることができる。
【００２６】
ここで、そのエンボスの深さは、第１エンボスより第２エンボスを深くすることが好ましい。本発明においてエンボスの深さとは、エンボス開口部のシート表面からエンボス底部までの距離をいい、図２−２に示したエンボス部分の拡大断面図でいうと、第１エンボスの深さは６ｄであり、第２エンボスの深さは７ｄとなる。本発明においては、この深さの関係を７ｄ＞６ｄとすることが好ましい。
【００２７】
このように第１エンボスをより浅いものとすることで、深いものでは加工が難しい、複雑な平面図の形状のエンボスとすることができ。これによりデザイン性の高い装飾的エンボスとすることができる。そして第２エンボスについては深くすることで、例えば第１エンボスが浅くてそれ自体が十分に目立たなくても、第２エンボスが効果的に観者の注意を引き、一層強くその装飾的美観を印象づけることができる。さらに、深い第２エンボスは液体の横漏れ性に優れ、その印象を与えるという機能的な美観をも有する。そして第２エンボスを深くして陰影を際立たせつつ、一方で浅い第１エンボスと組み合わせることにより、硬すぎる印象を与えずに、良質感、高級感のある外観を実現しうる。またそれにより良好な肌ざわりをも維持しうる。すなわち、この浅い第１エンボスと深い第２エンボスとの組み合わせは、その一方のみでは得られない相互作用を実現する。
【００２８】
本実施形態１の生理用ナプキンにおいては、例えば第１エンボスの深さ６ｄを０．１〜２．０ｍｍ程度とすることが好ましく、第２エンボスの深さ７ｄを０．５〜１０ｍｍ程度とすることが好ましい。深さ７ｄと深さ６ｄの差は特に限定されないが、外観において両エンボスにメリハリをつけ印象的にその美観を与える点から、その差を０．５ｍｍ以上とすることが好ましい。
吸収層２の形成材料としては、生理用ナプキン、パンティライナー、失禁パッド等の吸収性物品に用いられているものを特に制限無く用いることができるが、繊維集合体又はこれと高分子吸水ポリマーとを併用させたもの等を好ましく用いることができる。繊維集合体を構成する繊維としては、パルプ繊維等の親水性天然繊維や、合成繊維（好ましくは親水化処理を施したもの）等を用いることができる。本実施形態１の生理用ナプキンにおいては、第２エンボスの深さをより深くするという観点から吸収層２は嵩高で繊維集合体の坪量が高いことが望ましいが、著しく高坪量のものはエンボス部位が過度に硬化するため装着性が悪くなることが懸念される。坪量は１５０ｇ／ｍ２〜５００ｇ／ｍ２が好ましい。
【００２９】
図３は吸収性物品の参考例の形態としての生理用ナプキン（本実施形態２）を模式的に示す平面図である。そして図４は、図３に示すＩＶ−ＩＶ線断面を示す拡大断面図である。
本実施形態２においては、第２エンボスを第１エンボスの外側に、第２エンボスがサイドシート５と表面層１とを連結するように設けている。このようにすることで、良好な液漏れ防止性を、本実施形態１のものとは異なる態様で発揮することができる。すなわち本実施形態２の生理用ナプキン２０においては表面を伝搬してくる液体を一層効果的に遮断することができる。例えば、まず第１エンボス６で表面を伝わってくる液体を堰き止め、それでもなお物品表面を漏れ広がる液体を上記第２エンボス７２でより確実に止めることができる。とくにこの本実施形態２においては深い第２エンボス７２が物品のより外側で表面層１の端もしくはその付近に設けられているため、液体排泄量が多くサイドシート５と表面層１との界面４２にまで液体が伝搬してくるようなときに効果的にその液漏れ防止機能を発揮しうる。また、表面層１の端部もしくはその付近が固定されることにより、物品が変形したときの形態安定性（型崩れ防止性）が高められている。
【００３０】
本実施形態２における第２エンボスの形成方法は特に限定されないが、例えば、サイドシート５に第１エンボス６を形成し、それを表面層１と接合した複合シートとする。その複合シートの所定の位置を熱圧着することにより表面層とサイドシート５とを一体化して第２エンボス７２を設けることができる。この第１及び第２エンボスを設けた複合シート（表面層１、サイドシート５）を、別途防漏層３と吸収層２とを組み合わせたものに重ね合わせ、必要な部分を接合して生理用ナプキン２０の形態が得られる。
第２エンボス７２の深さ（図４中に示していないが、図２−２に示したものと同様に定義した深さである。）は特に限定されないが、第１エンボス６より深くすることが好ましく、例えば０．２〜４．０ｍｍとすることが好ましい。
【００３１】
本実施形態２の第１エンボス６及び第２エンボス７２の長手方向における配列、平面図における形状の特徴及びその利点については、本実施形態１におけるものと同様である。
なお、サイドシートの内側縁５ａは吸収性本体と接合せずに遊動状態にしてもよいが、肌に当接したときのヨレによる違和感があるときには、例えばサイドシート５と表面層の界面４１及び４２で接着剤により接合してもよい。
表面層１としては、生理用ナプキン、パンティライナー、失禁パッド等の吸収性物品に用いられているものを特に制限無く用いることができるが、本実施形態２の生理用ナプキンにおいては第２エンボスの深さを深くする観点から、嵩高な構造をしていることが望ましく、エアスルー不織布などがその例として挙げられる。また、開孔加工や凹凸加工などのシート加工によりシートの見かけ厚みを増す方法を用いるのも良い。
【００３２】
図５は本発明の吸収性物品のさらに別の好ましい形態としての生理用ナプキン（本実施形態３）を模式的に示す平面図である。そして図６は、図５に示すＶＩ−ＶＩ線断面を示す拡大断面図である。
本実施形態３においては、第２エンボス７３を第１エンボス６の外側で、さらに表面層１よりも外側に設けている。そして本実施形態３においては、第２エンボス７３を、サイドシート５と防漏層３とを連結するように設けている。このようにすることで、本実施形態３においては、とりわけ排泄液量が多く、表面を伝搬してくるだけではなく、吸収層２の内部を移行して液体が漏れ出てくるようなときにも、その液体を効果的に遮断することができる。具体的には、第１エンボス６により表面を伝わってくる液体を堰き止めるが、それでもなお漏れ広がる液体、あるいは吸収層２から漏れ出てくる液体を第２エンボス７３で確実に止めることができる。とくにこの第２エンボス７３は表面層１よりも外側に設けられているため、とくに液体の濡れ広がりが著しく空間６３にまで液体が伝搬してくるようなときにその液漏れ防止機能を発揮しうる。
【００３３】
本実施形態３における第２エンボス７３の形成方法は特に限定されないが、例えば、サイドシート５に第１エンボス６を形成し、それを防漏層３と接合した複合シートとする。その複合シートの所定の位置を熱圧着によりサイドシート５と防漏層３とを一体化して第２エンボス７３を設けることができる。この第１及び第２エンボスを設けた複合シート（サイドシート５、防漏層３）を、別途表面層１と吸収層２とを組み合わせたものに重ね合わせ、必要な部分を接合することにより生理用ナプキン３０の形態が得られる。
第２エンボス７３の深さ（図６中に示していないが、図２−２に示したものと同様に定義される深さである。）は特に限定されないが、第１エンボス６より深くすることが好ましく、例えば０．２〜３．０ｍｍとすることが好ましい。
【００３４】
本実施形態３の第１エンボス６及び第２エンボス７３の長手方向における配列、平面図における形状の特徴及びその利点については、本実施形態１におけるものと同様である。
なお、サイドシートの内側縁５ａは吸収性本体と接合せずに遊動状態にしてもよいが、肌に当接したときのヨレによる違和感があるときには、例えば界面６１及び６２で接着剤により接合してもよい。
防漏層３としては、生理用ナプキン、パンティライナー、失禁パッド等の吸収性物品に用いられているものを特に制限無く用いることができ、材料によらず前記の高い効果を発揮することができる。
【００３５】
本発明の吸収性物品においては、さらに本実施形態１、２、及び３を組み合わせた形態としてもよい。すなわちサイドシート５に第１エンボスを設け、さらに第２エンボス７（図１）、７２（図２）、７３（図３）を適宜に組み合わせた形態としてもよい。なかでも、実施形態１と２との組み合わせ、すなわち第１エンボスを、第２エンボス７（図１）と第２エンボス７２（図２）とで挟み込むように配列した形態がこのましい。この組み合わせにより、エンボスを集中させすぎて硬い印象を与えてしまうことなく、複数の種類の第２エンボスの組み合わせによる液漏れ防止性及びヨレ防止性における相互作用が得られる点で好ましい。
【００３６】
本発明の吸収性物品においては、第１エンボスと第２エンボスとを異なる白度とすることが好ましい。そのようにすることで、両エンボスの光の透過性を互いに異なるものとすることができ、凹凸の陰影効果による視認性を高めることができる。例えば、光の透過性の差を大きくし、透明化したエンボスと白化したエンボスとの組み合わせにより、両者をより印象的なものとすることができる。透明化させる場合には、シート材料の種類にもよるが、サイドシート５を構成する繊維を融点付近もしくはそれ以上に加熱圧縮して、繊維の形状を失わせて透明化させることができる。白化させる場合には、やはりシート材の種類にもよるが、繊維の形状を失わない程度に加熱圧縮するか、芯鞘構造繊維の鞘成分の融点付近に加熱圧縮して、繊維の形状を部分的に維持して白化させて、エンボス部の周囲より白くすることができる。透明化させた場合は、視認性が高いだけでなく、サイドシート同士もしくは表面シートなど他の材料との接合性に優れ、防漏性をより高められる点で好ましい。白化させた場合には、視認性が一層高くなり、包囲エンボスやその集合体が形成する模様を形成することができ、好ましい。
【００３７】
本発明の吸収性物品においては、第１エンボスと第２エンボスとを異なる硬さとすることが好ましい。どちらのエンボスをより硬いものとするかは求められる性能やエンボス深さ等に応じて適宜定めればよいが、例えば、第２エンボスをより硬いものとすることが好ましい。このように第１エンボスと第２エンボスとを硬さが異なるものとすることで、吸収性物品の変形によってかかる応力が加わった際、弾性変形から塑性変形となる応力の変曲点を２段階にわたって設けることができる。このため、弱い応力に対しても強い応力に対しても、より体に追従する変形が可能となり、装着性に優れた吸収性物品を提供することができ、好ましい。
【００３８】
本発明の吸収性物品は、生理用ナプキン以外に、パンティライナー、おりものシート、失禁パッド等にも適用することができる。特に２ｍｍ以上の厚さを有し、１５０ｍｍ以上の長さを有し、５０ｍｍ以上の幅を有する吸収性物品において良好に適用することができる。
【図面の簡単な説明】
【００３９】
【図１】本発明の吸収性物品の好ましい形態としての生理用ナプキンを模式的に示す平面図である。
【図２−１】図１に示すＩＩ−ＩＩ線断面を示す拡大断面図である。
【図２−２】図２−１のエンボスを設けた領域をさらに拡大して示す断面図である。
【図３】吸収性物品の参考例の形態としての生理用ナプキンを模式的に示す平面図である。
【図４】図３に示すＩＶ−ＩＶ線断面を示す拡大断面図である。
【図５】本発明の吸収性物品のさらに別の好ましい形態としての生理用ナプキンを模式的に示す平面図である。
【図６】図５に示すＶＩ−ＶＩ線断面を示す拡大断面図である。
【符号の説明】
【００４０】
１  表面層（表面シート）
２  吸収層（吸収体）
３  防漏層（裏面シート）
４  吸収性本体
５  サイドシート
５ａ  サイドシート内側縁
５ｘ、５ｙ  サイドシート折返し部
６  第１エンボス
６ａ  略Ｓ字型エンボス
６ｂ  中抜きエンボス
６ｙ  第１エンボスの列
７、７２、７３  第２エンボス
７ｙ  第２エンボスの列
１０、２０、３０  生理用ナプキン（吸収性物品）
１１  ウイング
１２  サイドシール
１３  エンドシール
２１  防漏構造をなす空間
２２  サイドシートと吸収層とが重なる領域
４１、４２、６１、６２  サイドシートと表面層との界面
６３  吸収性本体側縁部の空間
【図１】
0005111960.tif 000002
【図２−１】
0005111960.tif 000003
【図２−２】
0005111960.tif 000004
【図３】
0005111960.tif 000005
【図４】
0005111960.tif 000006
【図５】
0005111960.tif 000007
【図６】
0005111960.tif 000008